(57)【要約】【課題】固体撮像素子に大きな圧力を加えることなく、かつ高いシール性を有する固体撮像素子と光学系との間に設けられたシールゴムを提供する。【解決手段】シールゴム２０は、所定の撮像領域を撮像するＣＣＤ１１と、ＣＣＤ１１用のレンズとの間に設けられ、ＣＣＤ１１およびレンズによって圧縮されながら、両者間をシールするために用いられる。シールゴム２０は、撮像領域を囲む矩形状であり、その四隅に、ＣＣＤ１１およびレンズによって圧縮されることによって生じる応力を逃がす切欠き部２４を有する。【選択図】図１
2008211734.tif 000002
【特許請求の範囲】
【請求項１】
所定の撮像領域を介して撮像する固体撮像素子と、前記固体撮像素子用の光学系との間に設けられ、前記固体撮像素子および前記光学系によって圧縮されながら、前記固体撮像素子および前記光学系の間をシールするために用いられるシールゴムであって、
前記シールゴムは、前記撮像領域を囲むように設けられ、前記固体撮像素子および前記光学系によって圧縮されることによって生じる応力を逃がす切欠き部を、その少なくとも一部に有する、シールゴム。
【請求項２】
当該シールゴムは、前記固体撮像素子から離れた位置で前記光学系に当接する第１当接部と、前記光学系から離れた位置で前記固体撮像素子に当接する第２当接部と、前記第１当接部および前記第２当接部を接続する接続部とを含む、請求項１に記載のシールゴム。
【請求項３】
前記第１および第２当接部は平坦部を有する、請求項２に記載のシールゴム。
【請求項４】
当該シールゴムは、矩形状である、請求項１から３のいずれかに記載のシールゴム。
【請求項５】
前記矩形状のシールゴムは、その四隅に前記切欠き部を有する、請求項４に記載のシールゴム。
【請求項６】
前記切欠き部の形状は矩形状である、請求項１から５のいずれかに記載のシールゴム。
【請求項７】
前記第２当接部は、外延部に肉厚の厚い部分を有する、請求項２から６のいずれかに記載のシールゴム。
【請求項８】
所定の撮像領域を介して撮像する固体撮像素子と、
前記固体撮像素子用の光学系と、
前記固体撮像素子および前記光学系によって圧縮されながら、両者間をシールするために用いられるシールゴムとを含み、
前記シールゴムは、前記撮像領域を囲むように設けられ、前記固体撮像素子および前記光学系によって圧縮されることによって生じる横方向の応力を逃がす切欠き部を、その少なくとも一部に有する、光学機器。
【発明の詳細な説明】
【技術分野】
【０００１】
この発明は、シールゴムおよび光学機器に関し、特に、固体撮像素子と光学系との間をシールするシールゴムおよび光学機器に関する。
【背景技術】
【０００２】
従来の、ＣＣＤ（Charge Coupled Device）のような固体撮像素子と光学系との間に設けられたシールゴムが、たとえば、特開平５−２２７４９２号公報（特許文献１）に開示されている。
【０００３】
特許文献１のような、従来の、固体撮像素子と光学系とその間に設けられたシールゴムとからなる撮像部の構成を図４に示す。図４（Ａ）は、撮像部の平面図であり、図４（Ｂ）は、図４（Ａ）において、ＩＶＢ−ＩＶＢで示す部分の断面図である。図４（Ａ）および（Ｂ）を参照して、従来の撮像部３０はＣＣＤ１１のような固体撮像素子と、レンズ１２のような光学系と、ＣＣＤ１１とレンズ１２との間をシールするシールゴム３１とを含む。従来の撮像部３０を構成するＣＣＤ１１、レンズ１２、シールゴム３１は全て矩形状を有しており、シールゴム３１のレンズ側は比較的広い幅でレンズ１２に当接し、ＣＣＤ側は、先端部が突出した形状でＣＣＤ１１に当接していた。
【０００４】
撮像部３０を組み立てるときは、図４（Ｂ）に示すように、レンズ１２からＣＣＤ１１を押すことによって、シールゴム３１が圧縮される。このとき、シールゴム３１が図中矢印で示す方向に倒れこみ、シールが十分できなかったり、下面にあるＣＣＤ１１に圧力がかかりすぎて不具合が生じる場合があった。
【０００５】
このような問題を避けるために、シールゴムの形状を図５（Ａ）および（Ｂ）に示すような形状とする場合がある。図５（Ａ）および（Ｂ）は、図４（Ａ）および（Ｂ）に対応する図である。図５（Ａ）および（Ｂ）に示す形状では、上方向から力が加えられると容易に変形し、ＣＣＤ１１に荷重がかからない。
【特許文献１】特開平５−２２７４９２号公報（要約）
【発明の開示】
【発明が解決しようとする課題】
【０００６】
従来のＣＣＤ１１のような固体撮像素子とレンズ１２のような光学系とその間に設けられたシールゴム３１，３２とは上記のように構成されていた。しかしながら、図５（Ａ）および（Ｂ）に示すようなシールゴム３２では、その上部から圧力がかかると、容易に変形して四隅のみがＣＣＤ１１やレンズ１２と当接し、それ以外の部分が凹んで周囲からごみ等が侵入して十分なシール性が保てないという問題があった。
【０００７】
この発明は上記のような問題点を解消するためになされたもので、固体撮像素子に大きな圧力を加えることなくかつ高いシール性を有する、固体撮像素子と光学系との間に設けられたシールゴム、および、光学機器を提供することを目的とする。
【課題を解決するための手段】
【０００８】
この発明に係るシールゴムは、所定の撮像領域を介して撮像する固体撮像素子と、固体撮像素子用の光学系との間に設けられ、固体撮像素子および光学系によって圧縮されながら、固体撮像素子および光学系の間をシールするために用いられる。シールゴムは、撮像領域を囲むように設けられ、固体撮像素子および光学系によって圧縮されることによって生じる応力を逃がす切欠き部を、その少なくとも一部に有する。
【０００９】
シールゴムは、固体撮像素子および光学系によって圧縮されたとき、圧縮されることによって生じる応力を逃がす切欠き部をその少なくとも一部に設けたため、発生した応力は、切欠き部によって吸収される。その結果、固体撮像素子に大きな圧力を加えることなく、かつ高いシール性を有する、固体撮像素子と光学系との間に設けられたシールゴムを提供できる。
【００１０】
好ましくは、シールゴムは、固体撮像素子から離れた位置で光学系に当接する第１当接部と、光学系から離れた位置で固体撮像素子に当接する第２当接部と、第１当接部および第２当接部を接続する接続部とを含む。
【００１１】
第１および第２当接部は平坦部を有するのが好ましい。
【００１２】
シールゴムは矩形状であってもよい。
【００１３】
なお、矩形状のシールゴムは、その四隅に切欠き部を有するのが好ましい。
【００１４】
また、切欠き部の形状は矩形状であってもよい。
【００１５】
さらに、第２当接部は、外延部に肉厚の厚い部分を有する。
【００１６】
この発明の他の局面においては、光学機器は、所定の撮像領域を介して撮像する固体撮像素子と、固体撮像素子用の光学系と、固体撮像素子および光学系によって圧縮されながら、両者間をシールするために用いられるシールゴムとを含み、シールゴムは、撮像領域を囲むように設けられ、固体撮像素子および光学系によって圧縮されることによって生じる横方向の応力を逃がす切欠き部を、その少なくとも一部に有する。
【発明を実施するための最良の形態】
【００１７】
以下、この発明に係るシールゴムの一実施の形態を、図面を参照して説明する。図１はこの実施の形態におけるシールゴム２０を示す図である。図１（Ａ）は平面図であり、図１（Ｂ）は図１（Ａ）において、ＩＢ−ＩＢで示す部分の断面図である。図１においては、ＣＣＤ１１およびレンズ１２を省略している。
【００１８】
図１を参照して、シールゴム２０は、従来と同様に、ＣＣＤ１１のような固体撮像素子が撮像する所定の撮像領域を囲む矩形状であり、ＣＣＤ１１から離れた位置でレンズ１２に当接する第１当接部２１と、レンズ１２から離れた位置でＣＣＤ１１に当接する第２当接部２３と、第１当接部２１および第２当接部２３を接続する接続部２２とを含む。ＣＣＤ１１は、撮像領域を介して対象物を撮像する。
【００１９】
この実施の形態によれば、第１および第２当接部２１，２３は、ＣＣＤ１１およびレンズ１２と面接触する平坦部を有しており、矩形状の第１当接部２１の四隅（図中丸印で示す）には、矩形状の切欠き部２４が設けられている。
【００２０】
このように、この実施の形態においては、シールゴム２０の四隅に矩形状の切欠き部２４を設けたため、上からシールゴム２０全体に力がかかって四隅に力が集中しても、切欠き部２４によってその応力が逃がされる。その結果、四隅のみならずその中央部においてもシール部の沈み込みや浮き上がりを低減でき、光学系とＣＣＤとの間で十分なシールが可能なシールゴム２０を提供できる。
【００２１】
次に、この発明の他の実施の形態について説明する。図２はこの発明の他の実施の形態を示す図である。図２を参照して、この実施の形態に係るシールゴム２５は、基本的に図１に示したものと同じ形状を有しているが、第２当接部２６の外延部に他の部分よりも肉厚の大きい立上り部２７が設けられている点が先の実施の形態と異なっている。
【００２２】
すなわち、この実施の形態においては、第２当接部２６の外延部に立上り部２７を設けてその肉厚を第１当接部２１より厚くしたため、この部分での浮き上がりを防止することができ、よりシール性を高めることができる。
【００２３】
次に、この発明のさらに他の実施の形態について説明する。図３はこの発明のさらに他の実施の形態を示す図である。図３を参照して、この実施の形態に係るシールゴムは、基本的に先に示したものと同じ形状を有しているが、第１当接部に形成された切欠き部２４の形状が矩形状ではなく、三角形状のスリット２８になっている。このような形状でも、上下方向から押されたときに、四隅に集中する応力を低減でき、シール性を高めることが可能である。なお、このスリット２８は、三角形状の隙間を設けることなく、単なる切込みであってもよい。
【００２４】
なお、上記各実施の形態においては、第１当接部に矩形状や三角形状の切欠き部を設けた例について説明したが、これに限らず、シールゴムの形状が矩形状であれば、四隅において、周囲からの応力の集中を防ぐ構造であれば、切欠き部の形状は、円形等の任意の形状であってよい。
【００２５】
また、上記実施の形態では、シールゴムが矩形状の場合について説明したが、これに限らず、三角形状や、多角形状のシールゴムであってもよく、その角部に応力を逃がす切欠き部のような応力逃がし部を設ければよい。
【００２６】
このような多角形状の場合、各辺の接続部を円形状としたり、各辺の中央部に応力を逃がす切欠き部を設けてもよい。
【００２７】
さらに、円形状や、楕円形状等であれば、基本的に応力集中は生じにくいため、シールゴム自体をこのような形状としてもよい。また、シールゴムを、撮像領域を囲む任意の形状とし、その一部に、上下からの圧縮によって生じる横方向に逃げる力が集中して生じる応力を逃がす部分を設けてもよい。
【００２８】
なお、第１および第２当接部２１，２３は平坦状ではなく、円形等の任意の形状であってもよい。
【００２９】
また、このシールゴムは、デジタルカメラ、デジタルビデオカメラ、携帯電話等の、ＣＣＤのような固体撮像素子と光学系との間をシールする任意の光学機器に利用可能である。
【００３０】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００３１】
この発明によるシールゴムは、レンズのような光学系とＣＣＤのような固体撮像素子との間で十分なシール性を有するため、シールゴムとして有利に利用される。
【図面の簡単な説明】
【００３２】
【図１】この発明の一実施の形態に係るシールゴムを示す図である。
【図２】この発明の他の実施の形態に係るシールゴムを示す図である。
【図３】この発明のさらに他の実施の形態に係るシールゴムを示す図である。
【図４】従来のシールゴムを示す図である。
【図５】従来のシールゴムの他の例を示す図である。
【符号の説明】
【００３３】
１１  ＣＣＤ、１２  レンズ、２０  シールゴム、２１  第１当接部、２２  接続部、２３  第２当接部。
【図１】
2008211734.tif 000003
【図２】
2008211734.tif 000004
【図３】
2008211734.tif 000005
【図４】
2008211734.tif 000006
【図５】
2008211734.tif 000007